(57)【要約】【課題】ユーザがリモコンを容易に発見することを可能にする技術を提供する。【解決手段】家電製品制御システムは、電波を発信する発信機と、複数の発光部を有し、前記発信機から発信された前記電波を受信し、受信した該電波に基づいて前記発信機への方向を取得し、取得した該方向に応じて、複数の該発光部のうち、いずれか1以上の発光部を点灯させる、家電製品と、を有する。【選択図】図１
2010009824.tif 000002
【特許請求の範囲】
【請求項１】
電波を発信する発信機と、
複数の発光部を有し、前記発信機から発信された前記電波を受信し、受信した該電波に基づいて前記発信機への方向を取得し、取得した該方向に応じて、複数の該発光部のうち、いずれか1以上の発光部を点灯させる、家電製品と、
を有する家電製品制御システム。
【請求項２】
複数の前記発光部は、前記家電製品の中心を囲んで配置されており、
前記家電製品は、複数の前記発光部のうち、前記中心から、取得した前記方向に引いた仮想線に最も近い発光部を点灯させ、他の発光部を消灯させる、請求項１に記載の家電製品制御システム。
【請求項３】
前記家電製品は、前記電波に基づいて前記発信機と自身との間の距離を更に取得し、取得した該距離に応じて前記発光部を制御する、請求項１又は２に記載の家電製品制御システム。
【請求項４】
前記家電製品は、取得した前記距離に応じた強度で前記発光部を点灯させる、請求項３に記載の家電製品制御システム。
【請求項５】
前記家電製品は、取得した前記距離に応じた周期で前記発光部を点滅させる、請求項３に記載の家電製品制御システム。
【請求項６】
前記家電製品は、取得した前記距離が所定の閾値以下のときには前記発光部を点灯させない、請求項３乃至５のいずれか1項に記載の家電製品制御システム。
【請求項７】
前記家電製品は、取得した前記方向を示す方向情報を記憶手段に記憶し、記憶しておいた該方向情報の示す方向に応じて、複数の該発光部のうち、いずれか1以上の発光部を点灯させる、請求項１乃至６のいずれか1項に記載の家電製品制御システム。
【請求項８】
前記発信機は、前記家電製品を遠隔から制御するリモートコントロール装置である、請求項１乃至７のいずれか1項に記載の家電製品制御システム。
【請求項９】
前記家電製品は、照明器具である、請求項１乃至８のいずれか1項に記載の家電製品制御システム。
【請求項１０】
前記照明器具は、室内を照明するための照明部を更に有し、該照明部が点灯しているときには前記発光部を点灯させない、請求項９に記載の家電製品制御システム。
【請求項１１】
電波を発信する発信機と、
前記発信機から発信された前記電波を受信し、受信した該電波に基づいて前記発信機への方向を取得し、取得した該方向を示す方向情報を送信する通信機と、
複数の発光部を有し、前記通信機から前記方向情報を受信し、受信した該方向情報の示す前記方向に応じて、複数の前記発光部のうち、いずれか1以上の発光部を点灯させる、家電製品と、
を有する家電製品制御システム。
【請求項１２】
複数の発光部と、
発信機から発信された前記電波を受信する受信手段と、
前記受信手段により受信された前記電波に基づいて前記発信機への方向を取得する方向取得手段と、
前記方向取得手段により取得された前記方向に応じて、複数の前記発光部のうち、いずれか1以上の発光部を点灯させる制御手段と、
を有する家電製品。
【請求項１３】
複数の前記発光部は、前記家電製品の中心を囲んで配置されており、
前記制御手段は、複数の前記発光部のうち、前記中心から、取得した前記方向に引いた仮想線に最も近い発光部を点灯させ、他の発光部を消灯させる、請求項１２に記載の家電製品。
【請求項１４】
前記電波に基づいて前記発信機と自身との間の距離を取得する距離取得手段を更に有し、
前記制御手段は、前記距離取得手段により取得された前記距離に応じて前記発光部を制御する、請求項１２又は１３に記載の家電製品。
【請求項１５】
前記制御手段は、前記距離取得手段により取得された前記距離に応じた強度で前記発光部を点灯させる、請求項１４に記載の家電製品。
【請求項１６】
前記制御手段は、前記距離取得手段により取得された前記距離に応じた周期で前記発光部を点滅させる、請求項１４に記載の家電製品。
【請求項１７】
前記制御手段は、取得した前記距離が所定の閾値以下のときには前記発光部を点灯させない、請求項１４乃至１６のいずれか1項に記載の家電製品。
【請求項１８】
前記距離取得手段により取得された前記方向を示す方向情報を記憶する記憶手段を更に有し、
前記制御手段は、前記記憶手段から読み出した前記方向情報の示す前記方向に基づいて前記発光部を点灯させる、請求項１２乃至１７のいずれか1項に記載の家電製品制御システム。
【請求項１９】
前記家電製品は、照明器具である、請求項１２乃至１８のいずれか1項に記載の家電製品。
【請求項２０】
前記照明器具は、室内を照明するための照明部を更に有し、
前記制御手段は、該照明部が点灯しているときには前記発光部を点灯させない、請求項１９に記載の家電製品。
【請求項２１】
複数の発光部と、
発信機への方向を示す方向情報を受信する受信手段と、
前記受信手段により受信された前記方向情報の示す前記方向に応じて、複数の前記発光部のうち、いずれか１以上の発光部を点灯させる制御手段と、
を有する家電製品。
【請求項２２】
発信機から電波を発信し、
複数の発光部を有する家電製品が、前記発信機から発信された前記電波を受信し、
受信した該電波に基づいて前記発信機への方向を取得し、
取得した該方向に応じて、複数の前記発光部のうち、いずれか１以上の発光部を点灯させる、家電製品制御方法。
【発明の詳細な説明】
【技術分野】
【０００１】
本発明は、家電製品を制御する技術に関する。
【背景技術】
【０００２】
照明器具などの家電製品には、特許文献１および特許文献２に記載されているように、その家電製品を遠隔制御するためのリモートコントロール装置（以下、「リモコン」という）が付属することが多い。
【特許文献１】特開平８−８０６８号公報
【特許文献２】特開２００７−１２７３４８号公報
【発明の開示】
【発明が解決しようとする課題】
【０００３】
しかし、このリモコンは、小さいものが多く、一時的に紛失すると簡単に見つからないことがある。また、ユーザが置いてある位置を把握していないときは、ユーザは、踏みつけることにより、リモコンを損壊させてしまうこともある。
【０００４】
さらに、家電製品が照明器具である場合、就寝中に地震等の災害にあったとき、取り乱すことにより、リモコンの位置を把握できず、照明をつけるのが遅れて、避難に支障をきたすこともある。
【０００５】
本発明は、ユーザがリモコンを容易に発見することを可能にする技術を提供することを目的とする。
【課題を解決するための手段】
【０００６】
上記目的を達成するために、本発明の第１の観点に係る家電製品制御システムは、電波を発信する発信機と、複数の発光部を有し、前記発信機から発信された前記電波を受信し、受信した該電波に基づいて前記発信機への方向を取得し、取得した該方向に応じて、複数の該発光部のうち、いずれか1以上の発光部を点灯させる、家電製品と、を有する。
【０００７】
また、本発明の第２の観点に係る家電製品制御システムは、電波を発信する発信機と、前記発信機から発信された前記電波を受信し、受信した該電波に基づいて前記発信機への方向を取得し、取得した該方向を示す方向情報を送信する通信機と、複数の発光部を有し、前記通信機から前記方向情報を受信し、受信した該方向情報の示す前記方向に応じて、複数の前記発光部のうち、いずれか1以上の発光部を点灯させる、家電製品と、を有する。
【０００８】
本発明の第1の観点に係る家電製品は、複数の発光部と、発信機から発信された前記電波を受信する受信手段と、前記受信手段により受信された前記電波に基づいて前記発信機への方向を取得する方向取得手段と、前記方向取得手段により取得された前記方向に応じて、複数の前記発光部のうち、いずれか1以上の発光部を点灯させる制御手段と、を有する。
【０００９】
本発明の第２の観点に係る家電製品は、複数の発光部と、発信機への方向を示す方向情報を受信する受信手段と、前記受信手段により受信された前記方向情報の示す前記方向に応じて、複数の前記発光部のうち、いずれか１以上の発光部を点灯させる制御手段と、を有する。
【００１０】
本発明の家電製品制御方法は、発信機から電波を発信し、複数の発光部を有する家電製品が、前記発信機から発信された前記電波を受信し、受信した該電波に基づいて前記発信機への方向を取得し、取得した該方向に応じて、複数の前記発光部のうち、いずれか１以上の発光部を点灯させる、家電製品制御方法である。
【発明の効果】
【００１１】
本発明によれば、家電製品は、発信機から受信した電波に基づいて、その発信機への方向を取得し、取得した前記方向に応じて、複数の発光部のうち、いずれか１以上を点灯させるので、発信機をリモコンに取り付けておけば、ユーザはリモコンの方向を知ることができ、容易にリモコンを発見できる。
【発明を実施するための最良の形態】
【００１２】
（第1の実施形態）
本発明を実施するための第１の実施形態について図面を参照して詳細に説明する。
【００１３】
図１は、本実施形態の家電製品制御システム１の構成を示す全体図である。家電製品制御システム１は、ユーザがリモコンを使用して家電製品を遠隔制御するためのシステムである。同図を参照すると、家電製品制御システム１は、リモコン１０および照明器具１１を有する。
【００１４】
図２は、リモコン１０の外形図である。リモコン１０は、照明器具１１を遠隔制御するための装置であり、発信機１０１を有する。この発信機１０１は、無指向性の電波を連続的、または所定の周期で発信する。
【００１５】
発信機１０１は、リモコン１０と分離できる構成であってもよいし、リモコン１０の外部に電波を発信できるのであれば、リモコン１０に組み込まれて一体となっていてもよい。
【００１６】
リモコン１０は、発信機１０１が発信する電波とは別に、ユーザのボタンの押下に従って、照明器具１１を点灯、消灯させるための制御信号を照明器具１１に送信する。
【００１７】
なお、発信機１０１がリモコン１０に組み込まれている場合、発信機１０１が、無指向性の電波と照明器具１１の制御信号とをともに送信できる構成としてもよい。
【００１８】
図３は、照明器具１１を天井に取り付けた状態で、床から天井方向に見た照明器具１１の正面図である。同図を参照すると、照明器具１１は、アンテナ素子１１１、１１２、１１３、および１１４と、制御部１１５と、ＬＥＤ１１６等の複数のＬＥＤ（Light Emitting Diode）と、照明部１１７と、を有する。
【００１９】
アンテナ素子１１１、１１２、１１３、および１１４は、発信機１０１から発信された電波を受信する。これらのアンテナ素子（１１１、１１２、１１３、および１１４）は、例えば、アレーアンテナのアンテナ素子として使用される。
【００２０】
制御部１１５は、照明器具１１全体を制御する。
【００２１】
制御部１１５は、アンテナ素子（１１１、１１２、１１３、および１１４）が受信した信号に基づいて、リモコン１０と照明器具１１との間の距離、およびリモコン１０から照明器具１１への方向を取得する。
【００２２】
具体的には、制御部１１５は、アンテナ素子１１１、１１２、１１３、および１１４を周期的に順に動作させて、これらのアンテナ素子が受信した信号の振幅成分を取り出して、それぞれの信号の振幅成分のずれから、発信機１０１への方向を取得する。
【００２３】
ここで、制御部１１５が取得する方向は、照明器具１１の中心を通り、天井に垂直な垂線を引いた場合において、発信機１０１から、この垂線へ向かう方向であって、天井に水平な方向である。
【００２４】
また、制御部１１５は、アンテナ素子（１１１、１１２、１１３、および１１４）が受信した電波の強度から、発信機１０１が発信する電波の損失を求め、この損失に基づいてリモコン１０と照明器具１１との間の距離を求める。
【００２５】
そして、制御部１１５は、照明器具１１の中心から、発信機１０１への方向に引いた仮想線に最も近いＬＥＤを選択する。そして、制御部１１５は、選択したＬＥＤを、取得した距離に応じた強度で点灯させ、残りのＬＥＤを消灯させる。具体的には、制御部１１５は距離が大きいほど、発光強度を弱くし、距離が近いほど発光強度を強くする。
【００２６】
なお、本実施形態では、距離に基づいてＬＥＤの発光強度を変更する構成としているが、照明器具１１は、発信機１０１へ方向のみを取得し、距離に応じた発光強度の制御はしない構成としてもよい。
【００２７】
また、制御部１１５は、ＬＥＤを連続点灯させるのではなく点滅させることにし、発信機１０１までの距離に応じて点滅の周期を変化させてもよい。制御部１１５は、距離に応じて、発光する色を変更してもよい。
【００２８】
さらに、制御部１１５は、ＬＥＤを１つのみ点灯させるのでなく、複数点灯させてもよい。
【００２９】
ＬＥＤ１１６を含む複数のＬＥＤ（発光部）は、照明器具１１から発信機１０１への方向、または照明器具１１と発信機１０１との間の距離を識別できるように表示するための部品であり、制御部１１５の制御に従って点灯（点滅）する。これらのＬＥＤは、照明器具１１の中心を囲むように、照明器具１１の周辺部に配置されている。
【００３０】
なお、照明器具１１は、光を発する部品であれば、豆電球や有機ＥＬ（Electro Luminescence）など、他の種類の部品を、ＬＥＤの代わりに設けてもよいのは、勿論である。
【００３１】
照明部１１７は、蛍光灯や白熱球など、室内を照明するための部品であり、リモコン１０の制御に従って点灯または消灯する。
【００３２】
図４を参照して、家電製品制御システム１の動作について説明する。同図は、照明器具１１のＬＥＤ制御処理を示すフローチャートである。ＬＥＤ制御処理は、照明器具１１に電源が投入されたときに開始する。同図を参照すると、アンテナ素子１１１、１１２、１１３、および１１４は、リモコン１０の発信機１０１から発信された電波を受信する（ステップＳ１）。
【００３３】
制御部１１５は、発信機１０１への方向、および発信機１０１と照明器具１１との間の距離を求める（ステップＳ３）。
【００３４】
制御部１１５は、照明器具１１の中心から、発信機１０１への方向に引いた仮想線に最も近いＬＥＤを選択する（ステップＳ５）。そして、制御部１１５は、選択したＬＥＤを、取得した距離に応じた周期で点滅させ、残りのＬＥＤを消灯させる（ステップＳ７）。
【００３５】
ステップＳ７の後、照明器具１１は、動作を終了する。
【００３６】
図５を参照して、家電製品制御システム１の動作結果について、説明する。同図は、家電製品制御システム１を、床から天井への方向から見た全体図である。同図において、一点鎖線は、照明器具１１の中心から、発信機１０１への方向に引いた仮想線である。同図を参照すると、発信機１０１から電波を受信した照明器具１１は、発信機１０１への方向および距離を求め（ステップＳ３）、仮想線に最も近いＬＥＤを選択して（ステップＳ５）、そのＬＥＤを距離に応じた発光強度で点灯し、他のＬＥＤは消灯する（ステップＳ７）。
【００３７】
なお、家電製品制御システム１は、照明器具に限らず、ビデオレコーダーやテレビなどの他の種類の家電製品にＬＥＤ等を設けてリモコンの位置を知らせる構成としてもよい。
【００３８】
以上説明したように、本実施形態によれば、照明器具１１は、リモコン１０の発信機１０１から発信された前記電波を受信し、受信した該電波に基づいて発信機１０１への方向を取得し、その方向を表示するようにＬＥＤを点灯（点滅）させるので、ユーザは、リモコン１０の方向からリモコン１０を容易に見つけることができる。
【００３９】
照明器具１１は、発信機１０１への方向に沿った仮想線に最も近いＬＥＤを制御するので、リモコン１０の方向を正確にユーザに知らせることができる。
【００４０】
照明器具１１は、受信した電波に基づいてリモコン１０までの距離を求め、その距離に応じてＬＥＤを制御するので、ユーザは方向に加えてリモコン１０までの距離も知ることができ、より容易にリモコン１０を見つけることができる。
【００４１】
照明器具１１は、距離に応じて発光強度を変更するので、ユーザはリモコン１０までの距離を直観的に把握できる。
【００４２】
発信機１０１をリモコン１０に取り付けておけば、照明器具が発信機１０１までの距離および方向を知らせるので、リモコン１０の探索が容易になる。
【００４３】
照明器具１１のリモコン１０を容易に見つけることができるようにすることで、就寝中に地震等の災害にあったとき、取り乱してリモコン１０の位置を把握できず、照明をつけるのが遅れて、避難に支障をきたす事態を防ぐことができる。
【００４４】
（第２の実施形態）
本発明を実施するための第２の実施形態について図６〜図１０を参照して詳細に説明する。
【００４５】
図６は、本実施形態の家電製品制御システム１ａの構成を示す全体図である。同図を参照すると、家電製品制御システム１ａは、リモコン１０、照明器具１１ａ、および探知機１２を有する。探知機１２は、照明器具１１の真下付近に設置する。この探知機１２は、リモコン１０からの電波を受信し、発信機１０１への方向と、リモコン１０までの距離を取得し、これらの方向および距離を示す位置情報を照明器具１１ａに送信する。本実施形態の家電製品制御システム１ａは、発信機１０１への方向および距離を取得する機器を家電製品と別に設けた点で、第１の実施形態の家電製品制御システム１と異なる。
【００４６】
図７は、探知機１２の構成を示すブロック図である。同図を参照すると、探知機１２は、受信部１２１、位置取得部１２３、および送信部１２５を有する。
【００４７】
受信部１２１は、複数のアンテナ素子を有し、発信機１０１から発信された電波を受信する。
【００４８】
位置取得部１２３は、受信部１２１が受信した電波から、発信機１０１への方向と、発信機１０１から探知機１２までの距離とを求める。
【００４９】
送信部１２５は、位置取得部１２３が取得した方向および距離を示す情報を位置情報として照明器具１１ａに送信する。
【００５０】
図８は、床から天井への方向から見た、照明器具１１ａの正面図である。同図を参照すると、照明器具１１ａは、アンテナ素子１１２、１１３、および１１４を設けていない以外は、第1の実施形態の照明器具１１と同様の構成である。アンテナ素子を１つしか設けていないのは、照明器具１１が自ら発信機１０１への方向を取得する必要がないためである。
【００５１】
アンテナ素子１１１は、探知機１２から位置情報を受信する。
【００５２】
制御部１１５は、受信した位置情報の示す方向および距離に基づいてＬＥＤを制御する。
【００５３】
図９および図１０を参照して、家電製品制御システム１ａの動作について説明する。図９は、探知機１２の動作を示すフローチャートである。この動作は、探知機１２の電源が投入されたときに開始する。同図を参照すると、受信部１２１は、発信機１０１から発信された電波を受信する（ステップＴ１）。位置取得部１２３は、受信部１２１が受信した電波から、発信機１０１への方向と、発信機１０１から探知機１２までの距離とを求める（ステップＴ３）。送信部１２５は、位置取得部１２３が取得した方向および距離を示す情報を位置情報として照明器具１１ａに送信する（ステップＴ５）。
【００５４】
図１０は、本実施形態の照明器具１１ａの動作を示すフローチャートである。同図を参照すると、制御部１１５は、発信機１０１への方向、および発信機１０１までの距離を示す位置情報を探知機１２から受信する（ステップＳ３ａ）。
【００５５】
制御部１１５は、位置情報の示す発信機１０１への方向に沿って照明器具１１の中心まで引いた仮想線に最も近いＬＥＤを選択する（ステップＳ５）。そして、制御部１１５は、選択したＬＥＤを、位置情報の示す距離に応じた発光強度で点灯させ、残りのＬＥＤを消灯させる（ステップＳ７）。
【００５６】
以上説明したように、本実施形態によれば、照明器具１１ａは、別途設けられた探知機１２から発信機１０１への方向等を取得するので、複数のアンテナ素子を設ける必要がなく、照明器具１１ａの外観を損なうことがない。また、アンテナ素子を複数設けるためのスペースを設けなくてよいので、照明器具１１ａの設計が容易となる。
【００５７】
（第３の実施形態）
本発明を実施するための第３の実施形態について図１１を参照して詳細に説明する。
【００５８】
本実施形態の家電製品制御システムは、第１の実施形態の家電製品制御システム１と同様の構成である。
【００５９】
図１１は、本実施形態の家電製品１１の動作を示すフローチャートである。同図を参照すると、本実施形態の家電製品１１の動作は、ステップＳ４およびステップＳ９を実行する以外は、図４で示した第１の実施形態の動作と同様である。
【００６０】
同図を参照すると、制御部１１５は、発信機１０１への方向および距離を求め（ステップＳ３）、その距離が所定の閾値以下であるか否かを判断する（ステップＳ４）。
【００６１】
距離が所定の閾値より小さければ（ステップＳ４：ＮＯ）、制御部１１５は、仮想線に最も近いＬＥＤを選択して（ステップＳ５）、そのＬＥＤが点灯するように制御する（ステップＳ７）。
【００６２】
距離が所定の閾値以下であれば（ステップＳ４：ＹＥＳ）、制御部１１５は、ＬＥＤの全てを消灯させる（ステップＳ９）。リモコン１０が近くにあれば、ユーザはリモコン１０をすぐに発見でき、ユーザにその位置を知らせる必要が低いためである。
【００６３】
ステップＳ７またはステップＳ９の後、照明器具１１は、動作を終了する。
【００６４】
以上説明したように、本実施形態によれば、照明器具１１は、リモコン１０までの距離が閾値以下であれば、ＬＥＤを点灯させないので、必要でない場合はＬＥＤを消灯しておくことで、ＬＥＤの寿命を延ばすことができる。
【００６５】
（第４の実施形態）
本発明を実施するための第４の実施形態について図１２を参照して詳細に説明する。
【００６６】
本実施形態の家電製品制御システムは、第１の実施形態の家電製品制御システム１と同様の構成である。
【００６７】
図１２は、本実施形態の家電製品１１の動作を示すフローチャートである。同図を参照すると、本実施形態の家電製品１１の動作は、ステップＳ４ｂおよびＳ９ｂを実行する以外は、図４で示した第１の実施形態の動作と同様である。
【００６８】
同図を参照すると、制御部１１５は、発信機１０１への方向および距離を求め（ステップＳ３）、照明部１１７が消灯しているか否かを判断する（ステップＳ４ｂ）。
【００６９】
照明部１１７が消灯していれば（ステップＳ４ｂ：ＹＥＳ）、制御部１１５は、仮想線に最も近いＬＥＤを選択して（ステップＳ５）、そのＬＥＤが点灯するように制御する（ステップＳ７）。
【００７０】
照明部１１７が点灯していれば（ステップＳ４ｂ：ＮＯ）、制御部１１５は、ＬＥＤの全てを消灯させる（ステップＳ９ｂ）。照明部１１７が点灯しているときは室内が明るく、ユーザがリモコン１０をすぐに発見でき、ユーザにその位置を知らせる必要が低いためである。
【００７１】
ステップＳ７またはステップＳ９ｂの後、照明器具１１は、動作を終了する。
【００７２】
以上説明したように、本実施形態によれば、照明器具１１は、照明部１１７が消灯していれば、ＬＥＤを点灯（点滅）させるので、必要でない場合はＬＥＤを消灯しておくことで、ＬＥＤの寿命を延ばすことができる。
【００７３】
（第５の実施形態）
本発明を実施するための第３の実施形態について図１３および図１４を参照して詳細に説明する。本実施形態の家電製品制御システムは、第１の実施形態の家電製品制御システム１と同様の構成である。
【００７４】
図１３は、本実施形態の照明器具１１ｃの構成を示す外形図である。同図を参照すると、本実施形態の照明器具１１ｃの構成は、制御部１１５が記憶部１１５１を有する以外は、第１の実施形態の照明器具１１の構成と同様である。
【００７５】
制御部１１５は、発信機１０１への方向および発信機１０１までの距離を取得したとき、これらの方向および距離を示す情報を位置情報として記憶部１１５１に記憶しておく。
【００７６】
図１４は、本実施形態の家電製品１１ｃの動作を示すフローチャートである。同図を参照すると、本実施形態の家電製品１１ｃの動作は、ステップＳ４ｃおよびＳ５ｃを実行する以外は、図４で示した第１の実施形態の動作と同様である。
【００７７】
同図を参照すると、制御部１１５は、発信機１０１への方向および距離を求め（ステップＳ３）、求めた方向及び距離を示す情報を位置情報として記憶部１１５１に記憶する（ステップＳ４ｃ）。
【００７８】
制御部１１５は、記憶部１１５１から位置情報を読み出し、この位置情報に基づいて引いた仮想線に最も近いＬＥＤを選択して（ステップＳ５）、そのＬＥＤが点灯するように制御する（ステップＳ７）。
【００７９】
なお、リモコン１０は、無指向性の電波を常時発信し続けるのでなく、ユーザの所定の操作に応じて発信する構成としてもよい。リモコ１０のバッテリーの消費を抑えるためである。
【００８０】
また、リモコン１０がユーザの操作に従って照明器具１１ｃに位置を知らせるための電波を送信する場合、無指向性でなく、指向性の電波を送信する構成としてもよい。
【００８１】
以上、説明したように、本実施形態によれば、照明器具１１ｃは、取得した発信機方向および距離を示す位置情報を記憶部１１５１記憶しておくので、リモコン１０のバッテリーが消耗して、発信機１０１から電波が発信されなくなった場合であっても、照明器具１１ｃはリモコン１０の位置をユーザに知らせることができる。
【００８２】
なお、図４、図９〜図１２、図１４に示した処理の一部または全部は、コンピュータプログラムの実行により実現してもよいのは勿論である。
【図面の簡単な説明】
【００８３】
【図１】第1の実施形態の家電製品制御システムの構成を示す全体図である。
【図２】第１の実施形態のリモコンの構成を示す外形図である。
【図３】第１の実施形態の照明器具の構成を示す外形図である。
【図４】第１の実施形態の照明器具の動作を示すフローチャートである。
【図５】第1の実施形態の家電製品制御システムの動作結果の一例を示す図である。
【図６】第２の実施形態の家電製品制御システムの構成を示す全体図である。
【図７】第２の実施形態の探知機の構成を示すブロック図である。
【図８】第２の実施形態の照明器具の構成を示す外形図である。
【図９】第２の実施形態の探知機の動作を示すフローチャートである。
【図１０】第２の実施形態の照明器具の動作を示すフローチャートである。
【図１１】第３の実施形態の照明器具の動作を示すフローチャートである。
【図１２】第４の実施形態の照明器具の動作を示すフローチャートである。
【図１３】第５の実施形態の照明器具の構成を示す外形図である。
【図１４】第５の実施形態の照明器具の動作を示すフローチャートである。
【符号の説明】
【００８４】
１、１ａ    家電製品制御システム
１０    リモコン
１１、１１ａ、１１ｃ    照明器具
１２    探知機
１０１    発信機
１１１、１１２、１１３、１１４    アンテナ素子
１１５    制御部
１１６    ＬＥＤ
１１７    照明部
１２１    受信部
１２３    位置取得部
１２５    送信部
１１５１    記憶部
Ｓ１〜Ｓ７、Ｔ１〜Ｔ５、Ｓ３ａ、Ｓ４、Ｓ９、Ｓ４ｂ、Ｓ９ｂ、Ｓ４ｃ、Ｓ５ｃ    ステップ
【図１】
2010009824.tif 000003
【図２】
2010009824.tif 000004
【図３】
2010009824.tif 000005
【図４】
2010009824.tif 000006
【図５】
2010009824.tif 000007
【図６】
2010009824.tif 000008
【図７】
2010009824.tif 000009
【図８】
2010009824.tif 000010
【図９】
2010009824.tif 000011
【図１０】
2010009824.tif 000012
【図１１】
2010009824.tif 000013
【図１２】
2010009824.tif 000014
【図１３】
2010009824.tif 000015
【図１４】
2010009824.tif 000016